(57)【要約】【課題】ソーフーカバー吐出口対角側へのリント付着を抑えることが可能な洗濯乾燥機を提供する。【解決手段】洗濯乾燥機（ドラム式洗濯機１）は、外槽カバー３ｂにソーフーカバー３８およびダクトノズル３９が取り付けてある。ソーフーカバー表面３８aに設けられた斜め穴５２から吐出した風α４がドアガラス４０とベローズ４１に向けて風を吹き付けるとともに、ドアガラス４０周板部とベローズ４１の同一円弧状に風の流れを生み出しソーフーカバー３８の対角に送風が可能となっている。【選択図】図８
2019097720.tif 000002
【特許請求の範囲】
【請求項１】
衣類を出し入れする開口を有する外槽と、
該外槽内に設置されモータにより回転駆動されるとともに前記外槽の開口に対向する開口を有する洗濯物が収容される内槽と、
前記外槽の開口に取り付けられたべローズと、
前記外槽の開口を開閉するドアと、
ヒータ、ファンおよび乾燥風路を有する乾燥機構と、を備え、
前記乾燥風路は、前記内槽内の衣類に風を吹きつける吐出口と、前記ドアと前記べローズに間に向けて風を吹きつける穴を有するソーフーカバーと、を備えたことを特徴とする洗濯乾燥機。
【請求項２】
請求項１に記載の洗濯乾燥機において、
前記ソーフーカバーの穴から、円形状の前記ドアの円周に沿うように、前記ドアと前記べローズに間に向けて風を吹きつけることを特徴とする洗濯乾燥機。
【請求項３】
請求項１に記載の洗濯乾燥機において、
前記穴は複数個設けられていることを特徴とする洗濯乾燥機。
【請求項４】
請求項１に記載の洗濯乾燥機において、
前記斜め穴からドアガラス、ベローズに向けて吹き付けた風が、ドアガラスとベローズに向けて吹き付けられることを特徴とする洗濯乾燥機。
【発明の詳細な説明】
【技術分野】
【０００１】
本発明は、洗濯乾燥機に関する。
【背景技術】
【０００２】
特許文献１には、洗濯乾燥機として、送風路から衣類に直接風を吹きつけるとともに、ドアガラス周板部に直接風を吹きつけるリント除去手段を設けた構成が記載されている。
【先行技術文献】
【特許文献】
【０００３】
【特許文献１】特開2010-246700号公報
【発明の概要】
【発明が解決しようとする課題】
【０００４】
しかしながら、特許文献１に記載された従来の洗濯乾燥機は、一般に「リント」と称される糸くず等の埃をドアガラス周側板に垂直に風を直接吹き付けることによって除去する方法であるため、風の吐出口の対角側に風を吹き付けられず、リントがドアガラスおよびベローズに付着してしまうおそれがある。
【０００５】
本発明は、前記した課題を解決するためになされたものであり、吐出口対角側へのリントの付着を抑えることが可能な洗濯乾燥機を提供することを主な目的とする。
【課題を解決するための手段】
【０００６】
前記目的を達成するため、本発明は、衣類を出し入れする開口を有する外槽と、該外槽内に設置されモータにより回転駆動されるとともに前記外槽の開口に対向する開口を有する洗濯物が収容される内槽と、前記外槽の開口に取り付けられたべローズと、前記外槽の開口を開閉するドアと、ヒータ、ファンおよび乾燥風路を有する乾燥機構と、を備え、前記乾燥風路は、前記内槽内の衣類に風を吹きつける吐出口と、前記ドアと前記べローズに間に向けて風を吹きつける穴を有するソーフーカバーと、を備える。
【発明の効果】
【０００７】
本発明によれば、風がドアガラスとベローズの間を通り、風の吐出口対角側のドアガラスおよびベローズへのリントの付着を抑えることが可能な洗濯乾燥機を提供することができる。
【図面の簡単な説明】
【０００８】
【図１】本実施形態に係る洗濯乾燥機の適用例としてのドラム式洗濯機の分解斜視図である。
【図２】本実施形態に係る洗濯乾燥機の適用例としてのドラム式洗濯機の外観斜視図である。
【図３】ソーカバーの構成図である。
【図４】ソーカバーの部分拡大図である。
【図５】乾燥風の分岐原理を示す構造図である。
【図６】ソーカバーの断面図である。
【図７】ソーカバーの部分断面図である。
【図８】ソーカバーの部分断面図である。
【発明を実施するための形態】
【０００９】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１０】
＜洗濯乾燥機の全体構成＞
図１は、本実施形態に係る洗濯乾燥機の適用例としてのドラム式洗濯機の分解斜視図である。なお、本実施形態では、筺体内部の、洗濯機を制御するメイン基板ユニット、洗濯水を循環させる循環手段（配管、ポンプ）、対象物（布類）を乾燥させる乾燥風を循環させる乾燥手段、配管等の構成については図示を省略している。
【００１１】
図１に示すように、ドラム式洗濯機１は、本実施形態に係るドラム式の洗濯乾燥機が一体に組み込まれた洗濯機であり、筐体１内に弾性支持された外槽３と、この外槽３内に回転自在に支持された回転ドラム（内槽）４と、外槽３および回転ドラム４を収容する筐体１０と、を備えて構成されている。
【００１２】
外槽３は、合成樹脂で円筒状に形成されたものであり、回転ドラム４を同軸上に内包している。また、外槽３は、有底円筒状の外槽本体３ａと、この外槽本体３ａの前面開口に取り付けられる外槽カバー３ｂと、によって構成されている。また、外槽３（外槽カバー３ｂ）の開口部３ｓには、ゴム製のベローズ（不図示）が取り付けられ、ドア２５を閉じることで外槽３を水封するようになっている。また、外槽３は、ダンパ５を介して弾性支持されている。
【００１３】
回転ドラム４は、回転可能に支持された円筒状の洗濯兼脱水槽であり、その外周壁に通水および通風のための多数の貫通孔４ａが形成され、前側端面には、洗濯物を出し入れするための開口部４ｂが形成されている。開口部４ｂの外周側には、回転ドラム４と一体に回転する流体バランサ（不図示）が設けられている。また、回転ドラム４の内周壁には、洗濯運転や乾燥運転に際して洗濯物を持ち上げるリフタ４ｃが設けられている。なお、回転ドラム４の回転中心軸は、略水平又は開口部４ｂ側が高くなるように傾斜している。
【００１４】
筐体１０は、板金（金属、カラー鋼板）をプレス加工等によって、正面に配置される前面パネル（前板）１１と、左右の側面に配置される側面パネル（側板）１４Ａ，１４Ｂと、を有している。また、筐体１０は、板金をプレス加工等によって、上面視において略コ字状に形成されて背面に配置される背面パネル（背板）１６と、外槽３の底側に配置されるベース１７と、外槽３の上方に配置される上面パネル（上板、トップパネル）１８と、を有している。
【００１５】
前面パネル１１は、正面上部に配置される前面上パネル１２と、正面下部に配置される前面下パネル１３と、を有している。前面上パネル１２は、一枚の板金で形成され、正面側を向く平坦部１２ａと、この平坦部１２ａの左右両側において湾曲する湾曲部１２ｂ，１２ｃを有している。前面下パネル１３は、一枚の板金で形成され、前面上パネル１２よりも上下方向に短く形成され、正面側を向く平坦部１３ａと、この平坦部１３ａの左右両側において湾曲する湾曲部１３ｂ，１３ｃと、を有している。また、本実施形態では、前面パネル１１を前面上パネル１２と前面下パネル１３とで分割して構成しているが、１枚のパネルで構成されていてもよい。
【００１６】
湾曲部１２ｂ，１２ｃは、前面上パネル１２の上端から下端に向けて同様の湾曲形状を呈するように形成されている。湾曲部１３ｂ，１３ｃは、前面下パネル１３の上端から下端に向けて同様の湾曲形状を呈するように形成されている。また、湾曲部１２ｂ，１２ｃと湾曲部１３ｂ，１３ｃは、互いに同じ湾曲形状である。これにより、前面上パネル１２と前面下パネル１３とを上下に重ねたときに、平坦部１２ａの表面および湾曲部１２ｂ，１２ｃの表面と、平坦部１３ａの表面および湾曲部１３ｂ，１３ｃの表面とが面一となるように構成されている。
【００１７】
前面上パネル１２の平坦部１２ａには、ヒンジを介してドア２５が取り付けられている。前面下パネル１３の平坦部１３ａには、図示しない糸くずフィルタのフィルタ部材を出し入れするためのフタ１３ｄが取り付けられている。
【００１８】
側面パネル１４Ａは、板金をプレス加工等によって形成されたものであり、前面パネル１１と同じ高さに形成され、該側面パネル１４Ａの後端に、内側に湾曲する湾曲部１４ａが形成されている。湾曲部１４ａは、上端から下端に向けて同様の湾曲形状を呈するように形成されている。また、側面パネル１４Ａには、運搬時に使用される手掛け部１４ｂが上下に複数箇所形成され、また補強用の凹部１４ｃが複数形成されている。
【００１９】
側面パネル１４Ｂは、板金をプレス加工等によって形成されたものであり、側面パネル１４Ａと左右対称形状であり、側面パネル１４Ａの湾曲部１４ａ、手掛け部１４ｂおよび凹部１４ｃと同様に、湾曲部１４ａ、手掛け部１４ｂおよびリブ１４ｃが形成されている。
【００２０】
背面パネル１６は、板金をプレス加工等によって形成されたものであり、背面上部に設けられる背面上パネル１６Ａと、背面中央から底部にかけて設けられる背面下パネル１６Ｂと、を備えて構成されている。また、背面上パネル１６Ａおよび背面下パネル１６Ｂは、左右の両端に、側面パネル１４Ａ，１４Ｂ側に向けて湾曲する湾曲部１６ａ，１６ｂが形成されている。
【００２１】
ベース１７は、例えば合成樹脂製であり、内側に格子状のリブが形成されて補強が施されている。また、ベース１７には、側面パネル１４Ａ，１４Ｂの下端がそれぞれネジなどで固定されている。
【００２２】
上面パネル１８は、例えば合成樹脂を成形することで形成され、上面視において略矩形状に形成されている。また、上面パネル１８は、１枚の板状に構成され、前面パネル１１と側面パネル１４Ａ，１４Ｂと背面パネル１６とが連結されて構成された上面開口を塞ぐように構成されている。
【００２３】
また、上面パネル１８には、前後方向の手前左側に洗剤投入部２０、手前右側に操作パネル２２が取り付けられている。
【００２４】
また、筐体１０は、前面上部補強板３１、前面下部補強板３２、上部補強板３５、上部連結補強部３６によって補強されている。
【００２５】
前面上部補強板３１は、側面パネル１４Ａ，１４Ｂに架け渡され、側面パネル１４Ａ，１４Ｂの前面側の上端同士を連結している。すなわち、前面上部補強板３１は、板金をプレス加工等によって形成したものであり、前面に位置して直線状に延びる板部３１ａと、この板部３１ａの左右両端において外槽３側に折り曲げ形成される曲げ部３１ｂ，３１ｃと、を有している。また、板部３１ａには、当該板部３１ａと開口部４ｂとが前後方向において重ならないように切欠部３１ｄが形成されている。
【００２６】
前面下部補強板３２は、側面パネル１４Ａ，１４Ｂに架け渡され、側面パネル１４Ａ，１４Ｂの前面側の下部同士を連結している。すなわち、前面下部補強板３２は、板金をプレス加工等によって形成したものであり、前面に位置して直線状に延びる板部３２ａと、この板部３２ａの左右両端において外槽３側に折り曲げ形成される曲げ部３２ｂ，３２ｃと、を有している。また、板部３２ａには、当該板部３２ａと開口部４ｂとが前後方向において重ならないように切欠部３２ｄが形成されている。
【００２７】
また、前面下部補強板３２は、下部補強支持板３３，３４によって連結されている。下部補強支持板３３は、前面下部補強板３２の曲げ部３２ｂと連結される上部連結部３３ａと、ベース１７に固定される下部連結部３３ｂと、を有している。下部補強支持板３４は、前面下部補強板３２の曲げ部３２ｃと連結される上部連結部３４ａと、ベース１７に固定される下部連結部３４ｂと、を有している。
【００２８】
上部補強板３５は、側面パネル１４Ａ，１４Ｂに架け渡され、側面パネル１４Ａ，１４Ｂの上端縁同士を連結している。すなわち、上部補強板３５は、板金をプレス加工等によって形成したものであり、上面に位置して直線状に延びる板部３５ａと、この板部３５ａの左右両端において外槽３側に折り曲げ形成される曲げ部３５ｂ，３５ｃと、を有している。また、板部３５ａは、図示しないメイン基板ユニットを取り付けるための取付部が板部３５ａの一部を凹状に曲げ形成することで構成されている。
【００２９】
上部連結補強部３６は、上部補強板３５と背面パネル１６とを連結している。また、上部連結補強部３６は、合成樹脂により成型されたものであり、上部補強板３５と背面パネル１６とを図示しないねじを介して結合するものである。また、上部連結補強部３６は、前後方向に延び、かつ、左右方向の中央部に位置するように配置されている。なお、合成樹脂としては、高強度および耐摩耗性に優れた樹脂、具体的にはＰＯＭ（ポリオキシメチレン樹脂）を選択することができる。
【００３０】
また、上部連結補強部３６の左右には、給水ユニット（不図示）や乾燥フィルタユニット３７などが取り付けられる。図示しない給水ユニットは、給水管（不図示）、給水ホース接続口１８ｆ（図２参照）および風呂水ホース接続口１８ｇ（図２参照）に接続される洗剤給水電磁弁、風呂水を吸い上げるポンプなどである。
【００３１】
図２は、本発明に係る洗濯乾燥機の適用例としてのドラム式洗濯機の外観斜視図である。図２に示すように、前面上パネル１２の湾曲部１２ｂおよび前面下パネル１３の湾曲部１３ｂは、ドア２５の右端の位置から側面パネル１４Ａに向けて湾曲して形成されている。また、前面上パネル１２の湾曲部１２ｃおよび前面下パネル１３の湾曲部１３ｃは、ドア２５の左端の位置から側面パネル１４Ｂ（図１参照）に向けて湾曲して形成されている。このように、本実施形態のドラム式洗濯機１は、前面パネル１１が、ドア２５の幅の位置から側面パネル１４Ａ，１４Ｂに向けて（左右に向けて）大きく湾曲した形状を有している。
【００３２】
また、上面パネル１８は、前面パネル１１と、側面パネル１４Ａと、側面パネル１４Ｂ（図１参照）と、背面パネル１６（図１参照）と、を結合したときに形成される上部開口を塞ぐことができる形状を有している。また、上面パネル１８の外周縁部は、前面パネル１１の上端縁部と、側面パネル１４Ａの上端縁部と、側面パネル１４Ｂ（図１参照）の上端縁部と、背面パネル１６の上端縁部と、重なるように構成されている。
【００３３】
筐体１０の内部には、対象物（布類）を乾燥させる乾燥風が通る送風路（不図示）が設けられている。その送風路上には、埃を捕集するための乾燥フィルタユニット３７が着脱自在に配置されている。
【００３４】
＜付着抑制される原理＞ 
図３は、外槽カバー３ｂの図である。ソーフーカバー３８およびダクトノズル３９が外槽カバー３ｂに取り付けてある。ソーフーカバー表面３８aに設けられた斜め穴５２（後述）から吐出した風α４がドアガラス４０とベローズ４１に向けて風を吹き付けるとともに、ドアガラス４０周板部とベローズ４１の同一円弧状に風の流れを生み出しソーフーカバー３８の対角に送風が可能な構造になっている。
【００３５】
図４は、外槽カバー３ｂの右上部Ｂを拡大した図である。ダクトノズル３９からの風α１は、外槽カバー３ｂに取り付けられたソーフーカバー３８の斜め穴５２からの風α２と、吐出口５１からの風α３に分岐される。風α１は、本体上部右側に設置されている送風ユニット（不図示）からダクトノズル３９を介しソーフーカバー３８に流れ込み、ソーフーカバー３８に設けられた斜め穴５２から風α２がソーフーカバー表面３８ａ側から吐出する構造になっている。
【００３６】
なお、ドラム式洗濯機１は送風ユニット（不図示）を有しており、送風ユニットは、駆動用のファンモータ（不図示）、羽根車（不図示）、ファンケース（不図示）で構成されている。このファンケースには、ファンヒータ（不図示）が内蔵されており、このファンヒータ（不図示）は前記の羽根車から送られる空気を加熱する。ドラム式洗濯機１の上部に設置されている送風ユニットによって作り出される乾燥風はダクトノズル３９を介しソーフーカバー３８に流れ込み、その風α１がソーフーカバー３８の吐出口５１から内槽４内の衣類へ吹き付けられる。内槽４内衣類へ吹き付けられた風α３は外層３内側に形成されているダクト（不図示）を通り、本体上部右側に設置されている送風ユニットに流れ込む循環している循環経路を流れている。
【００３７】
図５は、外槽カバー３ｂに取り付いているソーフーカバー３８の単品図である。図５の（ａ）は斜視図、（ｂ）は上面図、（ｃ）は（ｂ）のＣＣ断面図である。風α１は風路５０側面にあたるソーフーカバー裏面３８ｂに向かって流れる。そして、ソーフーカバー表面３８aに複数設けられた斜め穴５２から風α２が吐出される。風α２は、ドアガラス４０とベローズ４１の間に吹き付ける。斜め穴５２の角度はソーフーカバー表面３８aに対して、垂直ではなく、角度が付いた構成となっている。
【００３８】
図６は外槽カバー３ｂのＡ−Ａ断面である。外槽カバー３ｂに取り付けられた水封用ゴムパッキンであるベローズ４１をドアガラス４０にて水封した状態を表している。風α１が流れる風路５０にソーフーカバー３８が形成されている。
【００３９】
図７は図６のＤを拡大したものである。風α１がソーフーカバー裏側３８ｂをなぞるように流れる形状になっている。風α１は、内槽４内の衣類に吹き付ける風α３と、ソーフーカバー表面３８aに設けられた斜め穴５２からドアガラス４０とベローズ４１の間に吹き付ける風α２に分岐される構造になっている。
【００４０】
図8は図６のE部を拡大したものである。風α１は風路５０を通り、吐出口５１から風α３となり内槽４へ吐出し、内槽４内の衣類に風を吹きつける構造になっている。一方、風路５０側面に位置するソーフーカバー３８に斜め穴５２を設けることにより風α１が分岐する構造とし、ドアガラス４０とベローズ４１の間に吹き付ける風α２を生み出す。
【００４１】
ドアガラス４０とベローズ４１の間に吹き付けられた風α２はソーフーカバー３８に設けられた斜め穴５２の形状によりドアガラス４０とベローズ４１の間をドアガラス周板部になぞるように、または、ドアガラス４０の中心部を中心とした円状に通る風α４となる。この風α４より、ドアガラス４０の上およびベローズ４１の上の糸くず等のリントを吹き飛ばすとともに、ドアガラス４０の全体およびベローズ４１の全体に付着する水分を熱と空気流をもって蒸発を促進し、ドアガラス４０およびベローズ４１への糸くず等のリントの付着を効果的に抑制することができる。
【００４２】
斜め穴５２により風α１より分岐した風α２をドアガラス４０周板部とベローズの同一円弧状に流すことが可能となる。その斜め穴５２によりドアガラス４０周板部とベローズの同一円弧状（円形のドアガラス４０の円周に沿って）に流れる風α４をソーフーカバー３８の対角位置まで吹き付けることが可能になる。
【００４３】
斜め穴５２形状を複数設けたことにより風α１の分岐時に風の流れを生み出し、ドアガラス周板部と同一円弧状に流れる風α４の風速の減速を抑制しているとともに、ドアガラス４０とベローズ４１に向けて風速を減速させることなく風を吹きつけることが可能となり、以下の効果を得られる。
【００４４】
乾燥中、衣類へ吹きかける送風ユニットによる風の風速が早いほど、発生する気流も速くなり、結果的に、ドアベローズに糸屑が付着しにくく、一旦付着した糸屑も剥がれやすくなる。また、ドアベローズの上にある水滴が乾燥工程中に乾いてから、衣類が乾き乾燥運転が終了するまでの時間、つまり風がドアベローズ４１に付着した糸くずへ吹きかかる時間が長いほど、風が糸くずを剥すための力が糸くずへ働く機会が多くなり、糸くずが残りにくくなる。
【００４５】
以上の通り、本実施形態に係る洗濯乾燥機としてのドラム式洗濯機１によれば、リント付着を抑えることができる。
【００４６】
本発明は、前記した実施形態に限定されるものではなく、様々な変形例が含まれる。例えば、前記した実施形態は、本発明を分かり易く説明するために詳細に説明したものであり、必ずしも説明した全ての構成を備えるものに限定されるものではない。また、実施形態の構成の一部を他の構成に置き換えることが可能であり、また、実施形態の構成に他の構成を加えることも可能である。また、各構成の一部について、他の構成の追加・削除・置換をすることが可能である。
【符号の説明】
【００４７】
１    ドラム式洗濯機（洗濯乾燥機）
３    外槽
３ａ    有底円筒状の外槽本体
３ｂ    外槽カバー
３ｓ    開口部
４    回転ドラム（内槽）
４ａ    貫通孔
４ｂ    開口部
４ｃ    リフタ
５    ダンパ
１０    筐体
１１    前面パネル（前板）
１２    前面上パネル
１２ａ    平坦部
１２ｂ，１２ｃ    湾曲部
１３    前面下パネル
１３ａ    平坦部
１３ｂ，１３ｃ    湾曲部
１３ｄ    フタ
１４Ａ，１４Ｂ    側面パネル（側板）
１４ａ    湾曲部
１４ｂ    手掛け部
１４ｃ    補強用の凹部（リブ）
１６    背面パネル（背板）
１６Ａ    背面上パネル
１６Ｂ    背面下パネル
１６ａ，１６ｂ    湾曲部
１７    ベース
１８    上面パネル（上板）
１８ｆ    給水ホース接続口
１８ｇ    風呂水ホース接続口
２０    洗剤投入部
２２    操作パネル
２５    ドア
３１    前面上部補強板
３１ａ    板部
３１ｂ，３１ｃ    曲げ部
３１ｄ    切欠部
３２    前面下部補強板
３２ａ    板部
３２ｂ，３２ｃ    曲げ部
３２ｄ    切欠部
３３，３４    下部補強支持板
３３ａ    上部連結部
３３ｂ    下部連結部
３４ａ    上部連結部
３４ｂ    下部連結部
３５    上部補強板
３５ａ    板部
３５ｂ，３５ｃ    曲げ部
３６    上部連結補強部
３７    乾燥フィルタユニット
３８  ソーフーカバー
３８ａ  ソーフーカバー表面
３８ｂ  ソーフーカバー裏面
３９  ダクトノズル
４０  ドアガラス
４１  ベローズ
５０  風路
５１  吐出口
５２  斜め穴
α１  風
α２  風
α３  風
α４  風
【図１】
2019097720.tif 000003
【図２】
2019097720.tif 000004
【図３】
2019097720.tif 000005
【図４】
2019097720.tif 000006
【図５】
2019097720.tif 000007
【図６】
2019097720.tif 000008
【図７】
2019097720.tif 000009
【図８】
2019097720.tif 000010